【事件の表示】
　平成　９年特許願第３３２７８９号「冷蔵庫の外部表示装置及びその制御方法」拒絶査定不服審判事件〔平成１０年　８月２５日出願公開、特開平１０−２２７５５８〕について、次のとおり審決する。
【結　論】
　本件審判の請求は、成り立たない。
【理　由】
１．手続の経緯
　本願は、平成９年１２月３日（パリ条約による優先権主張：１９９６年１２月３日、韓国）の出願であって、平成１６年２月３日付け（発送日：同月１０日）で拒絶査定がなされ、これに対し、同年５月１０日に審判請求がなされるとともに、同年６月９日に手続補正がなされたものである。
　
２．平成１６年６月９日付け手続補正についての補正却下の決定
　
［補正却下の決定の結論］
　平成１６年６月９日付け手続補正を却下する。　
　
［理由］
　本件補正は、特許請求の範囲の請求項の数を６から８に増加するものである。
　
　したがって、本件補正は、特許法第１７条の２第４項に規定する、請求項の削除を目的とするものとも、特許請求の範囲の減縮を目的とするものとも、また、誤記の訂正、明りょうでない記載の釈明を目的とするものとも認められない。
　
　よって、本件補正は、特許法第１５９条第１項で読み替えて準用する特許法第５３条第１項の規定により却下すべきものである。
　
３．本願発明
　平成１６年６月９日付けの手続補正は上記のとおり却下されたので、本願の請求項１に係る発明（以下、「本願発明」という。）は、同年１月９日付け手続補正書の特許請求の範囲の請求項１に記載されたとおりの次のものである。
　
　「冷蔵庫のドアに取付けられたディスプレー部であって、ユーザにより入力される信号を受信し解読し、表示動作を実行して前記信号を直列データに変換する副制御部を有するディスプレー部と、前記ディスプレー部から送信された信号を受信し解読する主制御部を有し、前記冷蔵庫の本体に設けられ、該冷蔵庫の動作を制御する制御手段と、前記ディスプレー部と前記制御手段とを前記ドア上のヒンジを介して接続するデータ信号線および電源線と、を具備することを特徴とする冷蔵庫の外部表示装置。」
　
４．引用例
（１）原査定の拒絶の理由に引用した特開平３−８７５８６号公報（以下、「引用例１」という。）には、図面とともに、次の記載がある。
　
・「一般の冷蔵庫においては、本体側に各部を制御するためのマイクロコンピュータが設けられ、扉側に操作パネルおよび表示パネルが設けられている。」（第１頁右下欄第１−３行）
　
・「第１Ａ図において、冷凍冷蔵庫の本体１は、冷凍室と冷蔵室とを区画形成した断熱箱体からなる。本体１には、ヒンジ部３により扉２ａが取付けられている。扉２ａには、操作パネル４が設けられている。操作パネル４内には制御ユニットが設けられている。ヒンジ部３内には、本体１と扉２ａとを電気的に接続するために、この発明による２本のリード線Ｌ１，Ｌ２が設けられている。」（第２頁右上欄第７−１４行）
　
・「第２図において、本体側制御ユニット１０は本体１に設けられ、扉側制御ユニット２０は扉２ａまたは２ｂに設けられる。本体側制御ユニット１０は、電源回路部３０、マイクロコンピュータ４０、電源オンオフ部５０、信号送出部６０および信号受入れ部７０を含む。また、扉側制御ユニット２０は、マイクロコンピュータ８０、信号送出部９０および信号受入れ部１００を含む。本体側制御ユニット１０と扉側制御ユニット２０とは２本のリード線Ｌ１，Ｌ２により接続されている。」（第２頁左下欄第４−１３行）
　
・「このように、２本のリード線Ｌ１，Ｌ２を用いて電源の供給および信号の伝送が行なわれる。
　たとえば、急速冷凍開始スイッチ８１が押されると、マイクロコンピュータ８０は対応するシリアルデータを期間Ｔ３内の時間ｔｂの間に信号送出部９０に出力する。そのデータに応答して信号送出部９０内のトランジスタ９１がオンオフする。信号送出部９０から出力される信号ａはリード線Ｌ１，Ｌ２を介して本体制御ユニット１０内の信号受入れ部７０に伝送される。これにより、信号受入れ部７０内のトランジスタ７１がオンオフし、出力信号ｂがマイクロコンピュータ４０に与えられる。マイクロコンピュータ４０は、信号受入れ部７０からの信号ｂを識別する。すなわち、マイクロコンピュータ４０は、急速冷凍開始スイッチ８１が押されたことを識別し、コンプレッサ４３を一定時間連続運転させる。」（第３頁左下欄第１−１７行）
　
　したがって、引用例１には、次の発明が記載されているものと認められる（以下、「引用例１発明」という。）。
　
　「冷蔵庫のドアに取付けられた操作パネルであって、ユーザにより入力される信号を受信し解読し、前記信号をシリアルデータに変換する扉側制御ユニットを有する操作パネルと、前記操作パネルから送信された信号を受信し解読するマイクロコンピュータを有し、前記冷蔵庫の本体に設けられ、該冷蔵庫の動作を制御する本体側制御ユニットと、前記操作パネルと前記本体側制御ユニットとを前記ドア上のヒンジを介して接続し、電源の供給および信号の伝送を共に行う２本のリード線と、を具備する冷蔵庫。」
　
（２）同じく、原査定の拒絶の理由に引用した特開平８−１５２２５３（以下、「引用例２」という。）には、図面とともに、次の記載がある。
　
・「【０００５】冷蔵庫ａ内に収納されている収納物の例えば食品名、数量、購入日、賞味期限等の収納物情報を格納する記憶部１と、この記憶部１に前記収納物情報を入出力及び削除するための入出力操作部２と、この入出力操作部２により入出力及び削除される収納物情報並びに操作状況及び操作指示を表示する表示部３と、記憶部１と入出力操作部２と表示部３とを統括制御する制御部４とから成る情報提供装置９を具備したことを特徴とする冷蔵庫に係るものである。」
　
・「【０００７】（中略）入出力操作部２を、表示部３の表示画面に触れることで感知するタッチパネルセンサーで形成したことを特徴とする冷蔵庫に係るものである。」
　
・「【０００９】【作用】制御部４は、入出力操作部２からの入出力命令及び削除命令を解読し、解読された命令内容に従って記憶部１に冷蔵庫ａに収納されている収納物の収納物情報を入出力及び削除すると共に、表示部３に収納物情報並びに操作状況及び操作指示を表示させる。」
　
５．対比
　本願発明と引用例１発明とを対比する。
　
　引用例１発明の「シリアルデータ」は本願発明の「直列データ」に相当し、以下同様に、「扉側制御ユニット」は「副制御部」に、「マイクロコンピュータ」は「主制御部」に、また、「本体側制御ユニット」は「制御手段」に、それぞれ相当するから、
　
両者は、
　
　「冷蔵庫のドアに取付けられた装置であって、ユーザにより入力される信号を受信し解読し、前記信号を直列データに変換する副制御部を有する装置と、前記装置から送信された信号を受信し解読する主制御部を有し、前記冷蔵庫の本体に設けられ、該冷蔵庫の動作を制御する制御手段と、前記装置と前記制御手段とを前記ドア上のヒンジを介して接続する線と、を具備する冷蔵庫。」
　
の点で一致し、次の点で相違する。
　
　［相違点１］
　本願発明では、冷蔵庫のドアに取付けられた装置が「ディスプレー部」であり、「ユーザにより入力される信号を受信し解読し、表示動作を実行」するのに対して、引用例１発明では、冷蔵庫のドアに取付けられた装置が「操作パネル」であり、そのような表示動作を実行しない点。
　
　［相違点２］
　本願発明では、冷蔵庫のドアに取付けられた装置と本体に設けられ制御手段とを接続する線が「データ信号線および電源線」であるのに対して、引用例１発明では、「電源の供給および信号の伝送を共に行う２本のリード線」である点。
　
　［相違点３］
　本願発明は、「冷蔵庫の外部表示装置」に係る発明であるのに対して、引用例１発明は、「冷蔵庫」に係る発明である点。
　
６．判断
　上記相違点について検討する。
　
　相違点１について、
　引用例１には、上記したように、「一般の冷蔵庫においては、本体側に各部を制御するためのマイクロコンピュータが設けられ、扉側に操作パネルおよび表示パネルが設けられている。」と記載されている（第１頁右下欄第１−３行）。
　
　また、引用例２には、冷蔵庫において、「入出力操作部２を、表示部３の表示画面に触れることで感知するタッチパネルセンサーで形成し」（段落【０００７】）、「表示部３に収納物情報並びに操作状況及び操作指示を表示させる」（段落【０００９】）と記載されている。
　
　したがって、引用例１発明において、操作パネルに表示装置を設けて「ディスプレー部」とし、「ユーザにより入力される信号を受信し解読し、表示動作を実行」することは、当業者が容易に想到し得たことである。
　
　相違点２について、
　引用例１発明において、電源の供給および信号の伝送を共に２本のリード線で行うことに代えて、「データ信号線および電源線」に分けて行うことにより、上記相違点２に係る本願発明の構成を採用することは、当業者が容易に想到し得たことである。
　
　相違点３について、
　上記相違点１についての判断で述べたように、冷蔵庫に表示装置を設けて、本願発明を「冷蔵庫の外部表示装置」とすることは、当業者が容易に想到し得たことである。
　
　そして、本願発明の作用効果も、引用例１、及び引用例２の記載から当業者が予測できた範囲内のものである。
　
７．むすび
　本願発明は、引用例１に記載された発明、及び、引用例２に記載された発明に基づいて、当業者が容易に発明をすることができたものであるから、特許法第２９条第２項の規定により特許を受けることができない。
　
　よって、結論のとおり審決する。